(57)【要約】【課題】機械装置が稼動されているかどうかを容易に認識することができ、動物類排斥装置を小型化することができるようにする。【解決手段】駆動部を駆動することによって発生させられた回転を受ける回転入力部と、反射部を備えた回転体ユニット３９と、前記回転入力部に対して回転体ユニット３９を相対的に回転自在に支持し、回転入力部によって受けられた回転を回転体ユニット３９に伝達する支持機構部とを有する。この場合、回転体ユニット３９は反射部を備えるので、光反射装置を機械装置に適用した場合、機械装置が稼動されているかどうかを容易に認識することができる。また、駆動部からの回転を回転体ユニット３９に伝達し、回転体ユニット３９を回転させるだけでよいので、光反射装置を動物類排斥装置に適用した場合、動物類排斥装置を小型化することができる。【選択図】図１
2005295893.tif 000002
【特許請求の範囲】
【請求項１】
（ａ）駆動部を駆動することによって発生させられた回転を受ける回転入力部と、
（ｂ）反射部を備えた回転体ユニットと、
（ｃ）前記回転入力部に対して回転体ユニットを相対的に回転自在に支持し、回転入力部によって受けられた回転を回転体ユニットに伝達する支持機構部とを有することを特徴とする光反射装置。
【発明の詳細な説明】
【技術分野】
【０００１】
本発明は、光反射装置に関するものである。
【背景技術】
【０００２】
従来、家庭用、産業用等の各種の機械装置、例えば、送風装置、空気調和装置等においては、電源を投入することによってモータ、圧縮機等が駆動され、機械装置が稼動されるようになっている。
【０００３】
この場合、機械装置が稼動されるのに伴って所定の振動が発生するので、操作者等は、振動を認識することによって機械装置が稼動されているかどうかを判断することができる。
【０００４】
また、従来、鳩（はと）、猫、野性動物等の動物類が、庭、ベランダ等に侵入して糞（ふん）等で汚したり、畑等に侵入して作物を荒らしたりするのを防止するための動物類排斥装置、例えば、鳩がベランダに侵入するのを防止するための鳩避け装置が提供されている（例えば、特許文献１参照。）。
【０００５】
図２は従来の鳩避け装置の概略図である。
【０００６】
図において、１はゴム紐（ひも）であり、該ゴム紐１の両端に取付手段３が配設され、該取付手段３を介してゴム紐１をベランダ１１の垂直部材１３に取り付けるようになっている。また、前記ゴム紐１から複数の揺動紐７が垂下させられる。この場合、該各揺動紐７が風等によって独立して揺動させられると、鳩は揺動紐７を忌避するので、鳩がベランダ１１に進入するのを防止することができる（例えば、特許文献１参照。）。
【特許文献１】特開２００３−１８９５２号公報
【発明の開示】
【発明が解決しようとする課題】
【０００７】
しかしながら、前記従来の機械装置においては、発生する振動が小さい場合、機械装置が稼動されているかどうかを判断することが困難になり、機械装置が稼動されているにもかかわらず電源を投入するつもりで切ってしまい、機械装置の稼動を停止させてしまうことがある。例えば、空気調和装置等のような、圧縮式冷凍機械によって構成される機械装置においては、稼動中に誤って電源を切ると、圧縮機を保護するために所定の時間だけ再稼動が禁止されるようになっているので、機械装置の操作性が低くなってしまう。
【０００８】
また、従来の鳩避け装置においては、前記所定の長さを有するゴム紐１を前記垂直部材１３に取り付ける必要があり、さらに、ゴム紐１から所定の長さを有する複数の揺動紐７を垂下させる必要があるので、鳩避け装置が大型化するだけでなく、ベランダ１１の美観を損ねるとともに、鳩避け装置の保守・管理が煩わしい。
【０００９】
本発明は、前記従来の機械装置、鳩避け装置等の問題点を解決して、機械装置に適用した場合、機械装置が稼動されているかどうかを容易に認識することができ、動物類排斥装置に適用した場合、動物類排斥装置を小型化することができ、美観を損ねることがなく、保守・管理を容易に行うことができる光反射装置を提供することを目的とする。
【課題を解決するための手段】
【００１０】
そのために、本発明の光反射装置においては、駆動部を駆動することによって発生させられた回転を受ける回転入力部と、反射部を備えた回転体ユニットと、前記回転入力部に対して回転体ユニットを相対的に回転自在に支持し、回転入力部によって受けられた回転を回転体ユニットに伝達する支持機構部とを有する。
【発明の効果】
【００１１】
本発明によれば、光反射装置においては、駆動部を駆動することによって発生させられた回転を受ける回転入力部と、反射部を備えた回転体ユニットと、前記回転入力部に対して回転体ユニットを相対的に回転自在に支持し、回転入力部によって受けられた回転を回転体ユニットに伝達する支持機構部とを有する。
【００１２】
この場合、回転体ユニットは反射部を備えるので、光反射装置を機械装置に適用した場合、機械装置が稼動されているかどうかを容易に認識することができる。
【００１３】
また、駆動部からの回転を回転体ユニットに伝達し、回転体ユニットを回転させるだけでよいので、光反射装置を動物類排斥装置に適用した場合、動物類排斥装置を小型化することができるだけでなく、美観を損ねることがなく、動物類排斥装置の保守・管理を容易に行うことができる。
【発明を実施するための最良の形態】
【００１４】
以下、本発明の実施の形態について図面を参照しながら詳細に説明する。なお、この場合、光反射装置を、機械装置に搭載される稼働表示装置、及び動物類排斥装置に適用する場合について説明する。
【００１５】
図１は本発明の実施の形態における光反射装置の概略を示す断面図、図３は本発明の実施の形態における回転体ユニットの支持構造を示す断面図、図４は本発明の実施の形態における支持プレートの正面図、図５は本発明の実施の形態における支持プレートの背面図である。
【００１６】
図において、２１は中空の筐（きょう）体であり、該筐体２１は、ベース部２２、及び該ベース部２２から上方に向けて突出させて形成された垂直部２３を備え、前記ベース部２２の上面に、垂直部２３の前端面（図１において左端面）に向けて光を照射する光源としてのランプ２６が取り付けられる。
【００１７】
また、前記垂直部２３内の所定の箇所には、駆動源としての、かつ、駆動部としてのモータ２８が、ブラケット２９を介して筐体２１に取り付けられる。前記モータ２８の出力軸３１は、垂直部２３の前壁３２に形成された貫通穴３３を貫通して前方（図１及び３において左方）に向けて延びる。そして、前記出力軸３１に、複数の、本実施の形態においては、２個のベアリング３６、３７を介して、被駆動体としての回転体ユニット３９が取付けられ、該回転体ユニット３９は出力軸３１に対して相対的に回転自在に支持される。なお、本実施の形態において、前記出力軸３１は、モータ２８を構成する要素であるが、モータ２８を駆動することによって発生させられた回転を受ける回転入力部としても機能する。
【００１８】
前記ベアリング３６、３７は、ころがり軸受けから成り、モータ２８の駆動に伴って出力軸３１が回転させられたときに、回転体ユニット３９に回転を伝達する。そして、前記ベアリング３６、３７は、軸方向において所定のクリアランスを置いて配設され、モータ２８の回転を回転体ユニット３９に伝達するための回転伝達系及び支持機構部を構成する。なお、回転体ユニット３９は、ベアリング３６、３７を介して出力軸３１に取り付けられるので、前記モータ２８の駆動を開始するのに伴って、出力軸３１は所定の回転速度で回転させられるが、回転体ユニット３９は、慣性モーメントによって、停止させられた状態から、徐々に回転速度を高くして回転させられ、所定の時間が経過すると、一定の回転速度で回転させられる。また、４１はベアリング３７を位置決めする位置決め用のリングである。
【００１９】
前記回転体ユニット３９は、円形の形状を有する支持部材としての支持プレート４３、及び円形の形状を有し、前記支持プレート４３の前端面に当接させて、着脱自在に取り付けられた反射部材４４を備える。前記回転体ユニット３９は、前記出力軸３１に対して偏心させて配設され、そのために、回転体ユニット３９の軸心ｓｈ１が出力軸３１の軸心ｓｈ２に対して偏位量δだけ異ならせて設定される。したがって、前記回転体ユニット３９を回転させると、反射部材４４は前記軸心ｓｈ２によって表される回転中心に対して偏心して回転する。
【００２０】
前記支持プレート４３は、例えば、ＡＢＳ樹脂によって形成され、偏平な環状のフランジ部４５、及び該フランジ部４５の内周縁から後方（図１及び３において右方）に突出させて形成された筒状部としてのボス４６を備え、該ボス４６によって前記ベアリング３６、３７が包囲される。そのために、前記ボス４６は、支持プレート４３の中心となる前記軸心ｓｈ１から前記偏位量δだけ偏心させて形成され、各ベアリング３６、３７のインナレース内に出力軸３１が圧入され、ボス４６内に各ベアリング３６、３７のアウタレースが圧入される。
【００２１】
そして、前記フランジ部４５の円周方向における複数箇所、本実施の形態においては、３箇所に、外周縁の近傍から前方に突出させて、係止部としての保持爪４８が形成され、該保持爪４８に前記反射部材４４を係止させることによって、該反射部材４４を支持プレート４３に取り付けることができる。なお、前記フランジ部４５における各保持爪４８よりわずかに径方向内方には、保持爪４８と同様の円周方向長さを有するスリット５１が形成される。したがって、各スリット５１より径方向外方のブリッジ部分を変形させながら、保持爪４８に反射部材４４を係止させることができるので、反射部材４４の取付作業を簡素化することができる。
【００２２】
ところで、前記モータ２８を駆動して回転体ユニット３９を回転させるに当たり、出力軸３１に対して回転体ユニット３９が偏心させられるので、出力軸３１に偏荷重が加わると、回転体ユニット３９に振動が発生し、光反射装置の全体にも振動が発生してしまう。そこで、回転体ユニット３９の回転に伴って出力軸３１に偏荷重が加わらないように、支持プレート４３における軸心ｓｈ１からみて軸心ｓｈ２側の部分（図において上半分）に、バランス装置５３が形成される。該バランス装置５３は、前記ボス４６から軸心ｓｈ１とは反対側に外周縁まで延びる第１のリブ５４、前記ボス４６から第１のリブ５４と直角の方向に、外周縁まで延びる第２、第３のリブ５５、５６、前記第１のリブ５４における外周縁の近傍に、円筒状に形成された筒状突起５７、該筒状突起５７の外周面から前記第２、第３のリブ５５、５６と平行に所定の距離だけ延在させて形成された第４、第５のリブ５８、５９、及び前記筒状突起５７内にねじ込まれる図示されないねじ等から成り、回転バランスを採る。
【００２３】
前記第１〜第５のリブ５４〜５６、５８、５９及び筒状突起５７は、いずれも後方に向けて突出させて形成され、前記第１〜第５のリブ５４〜５６、５８、５９及びねじは、回転体ユニット３９を所定の回転速度の範囲で回転させたときに、振動が発生するのを防止することができるような位置及び寸法が設定される。なお、回転体ユニット３９は、第１〜第５のリブ５４〜５６、５８、５９による空気抵抗、及びベアリング３６、３７自体による摩擦抵抗を受けながら回転させられるので、定常状態における回転体ユニット３９の回転速度は出力軸３１の回転速度より低く（二分の一程度に）なる。また、回転体ユニット３９の回転速度は、第１〜第５のリブ５４〜５６、５８、５９の寸法、取付角度等を変更したりベアリングの数を増減したりすることによって変化させることができる。
【００２４】
そして、前記反射部材４４の一方の面、本実施の形態においては、ランプ２６と対向する前端面に反射部としての反射面が形成され、該反射面には、図示されない微細パターンが同心状に、又は螺（ら）旋状に形成される。そのために、前記反射部材４４は、例えば、ポリカーボネート等の樹脂から成り、一方の面に微細な凹凸が形成された第１の保護層、該第１の保護層の上面に、アルミニウム等のメッキ処理等によって形成された反射層、該反射層の上面に形成され、ポリカーボネート等の樹脂から成る第２の保護層等を備える。
【００２５】
なお、反射部材４４として、ＣＤ−Ｒ、ＤＶＤ等のディスク基板を使用し、該ディスク基板の微細パターンが形成された記録面を反射面として使用することができる。
【００２６】
ところで、前記反射面の微細パターンは、光に対する性質が周期的に変化するように形成されるので、反射面に光を照射すると、光が回折する。したがって、白色光を反射面に向けて照射すると、光の波長によって回折する角度が異なるので、光が虹色に分光させられる。
【００２７】
本実施の形態においては、前記回転体ユニット３９を回転させると、反射部材４４は回転中心に対して偏心しながら回転するので、前記反射面において光の照射される角度が変化することになる。したがって、回転体ユニット３９の回転に伴って、虹色の光が、異なる位置及び角度で発生させられることになる。
【００２８】
また、回転体ユニット３９の回転を開始する際に、出力軸３１はモータ２８のトルクを受けて回転させられるのに対して、回転体ユニット３９は慣性モーメントによって停止した状態を維持しようとする。このとき、ベアリング３６、３７が空転するので、モータ２８に加わる負荷を極めて小さくすることができる。したがって、モータ２８に必要とされるトルクを小さくすることができるので、モータ２８を小型化することができ、モータ２８によって発生させられる騒音を小さくすることができる。また、モータ２８を駆動することによって消費される電力を小さくすることができる。
【００２９】
そして、ベアリング３６、３７は、それ自体が有する摩擦抵抗によって、モータ２８のトルクを伝達するので、回転体ユニット３９に伝達されるトルクは極めて小さい。したがって、わずかな力を加えるだけで回転体ユニット３９を停止させることができ、誤って回転体ユニット３９に触れても怪我をすることはない。また、回転体ユニット３９を強制的に停止させても、モータ２８に負荷が加わることがない。
【００３０】
そして、前記回転体ユニット３９は二つのベアリング３６、３７を介して支持されるので、機械的ながたつきを無くすことができる。したがって、回転体ユニット３９を安定させて回転させることができるだけでなく、回転体ユニット３９によって騒音が発生するのを防止することができる。
【００３１】
本実施の形態において、前記ランプ２６は、図示されない所定の支持機構によって支持され、所定の角度で傾斜させて配設され、反射部材４４の反射面のうちの、主として下半部を照射するようになっているが、反射面の全体を照射することもできる。また、ランプ２６の傾き、及び前後方向における位置は、前記支持機構を調整することによって変更することができる。
【００３２】
さらに、本実施の形態においては、回転体ユニット３９を出力軸３１に対して直角の方向に取り付けるようになっているが、回転体ユニット３９を出力軸３１に対して傾斜させて取り付けることができる。また、本実施の形態においては、前記回転体ユニット３９を軸心ｓｈ２を回転中心として回転させるようになっているが、所定の軸を中心にして揺動させることもできる。
【００３３】
前記構成の光反射装置を機械装置、例えば、送風装置が稼動されているかどうかを表示する稼動表示装置に適用する場合、前記光反射装置を機械装置の筐体に組み込むのが好ましい。その場合、前記出力軸３１と一体に出力軸３０が形成され、該出力軸３０を介して図示されない他の要素、例えば、送風用のファンに回転を伝達することができる。
【００３４】
そして、操作者が、送風装置の電源を投入すると、光反射装置の図示されない制御部の回転処理手段は、回転処理を行い、ランプ２６を点灯するとともに、モータ２８を駆動して所定の回転速度で送風ファンを回転させて風を起こすとともに、前記回転体ユニット３９を回転させる。それに伴って、ランプ２６から放射された光が反射部材４４の反射面に当たり、虹色の光を、異なる位置及び角度で発生させる。
【００３５】
したがって、送風装置において発生する振動が小さい場合でも、操作者等は、前記反射面を見るだけで送風装置が稼動されているかどうかを容易に認識することができる。その結果、送風装置の操作性を高くすることができる。
【００３６】
また、前記構成の光反射装置を動物類排斥装置に適用する場合、前記ベース部２２の前端（図１において左端）に、鳩、猫、野性動物等の動物類が近づいたときに、動物類をその動きによって検出する検出部としての感知センサ２５が取り付けられる。したがって、動物類が動物類排斥装置に接近するのに伴って前記感知センサ２５によって動物類の動きが検出され、センサ出力が前記制御部に送られる。そして、前記回転処理手段は、回転処理を行い、ランプ２６を点灯するとともに、モータ２８を駆動して所定の回転速度で回転体ユニット３９を回転させる。それに伴って、ランプ２６から放射された光が反射部材４４の反射面に当たり、虹色の光を、異なる位置及び角度で発生させる。
【００３７】
なお、前記回転処理手段は、所定のタイムスケジュールでモータ２８の回転速度を変化させることができ、その場合、虹色の光が発生する位置及び角度を複雑に変化させることができる。したがって、動物類は、光の変化を嫌うので、前記構成の動物類排斥装置を庭、ベランダ、畑等に置くと、動物類が庭、ベランダ、畑等に侵入するのを防止することができる。
【００３８】
このように、モータ２８からの回転を回転体ユニット３９に伝達し、該回転体ユニット３９を回転させるだけでよいので、動物類排斥装置を小型化することができる。また、庭、ベランダ、畑等に置いたときに、美観を損ねることがない。
【００３９】
そして、反射部材４４が汚れても、反射面に第２の保護層が形成されているので、汚れを簡単に拭（ふ）き取ることができる。また、反射面が劣化した場合には、反射部材４４を容易に交換することができるので、動物類排斥装置の保守・管理を容易に行うことができる。
【００４０】
本実施の形態においては、光反射装置を稼働表示装置、及び動物類排斥装置に適用した例について説明しているが、光反射装置を、装飾用、ディスプレイ用等として使用することができる。
【００４１】
なお、本発明は前記実施の形態に限定されるものではなく、本発明の趣旨に基づいて種々変形させることが可能であり、それらを本発明の範囲から排除するものではない。
【図面の簡単な説明】
【００４２】
【図１】本発明の実施の形態における光反射装置の概略を示す断面図である。
【図２】従来の鳩避け装置の概略図である。
【図３】本発明の実施の形態における回転体ユニットの支持構造を示す断面図である。
【図４】本発明の実施の形態における支持プレートの正面図である。
【図５】本発明の実施の形態における支持プレートの背面図である。
【符号の説明】
【００４３】
２８    モータ
３１    出力軸
３６、３７    ベアリング
３９    回転体ユニット
【図１】
2005295893.tif 000003
【図２】
2005295893.tif 000004
【図３】
2005295893.tif 000005
【図４】
2005295893.tif 000006
【図５】
2005295893.tif 000007